(57)【要約】【課題】複数画面表示可能な表示装置において所定の機能を調整する際に、その調整によって効果が及ぶ範囲を事前に判別することを可能とした表示装置を提供すること。【解決手段】表示画面を分割して複数の画像を表示可能であって、所定の調整機能を調整可能な複数のオペレーションを備え、前記複数のオペレーション毎に、調整対象が前記複数画面のうち所定の画面に設定可能な入力画像毎か、画面全体かを示す調整対象情報を取得する手段を備え、少なくとも、前記調整対象情報が入力画像毎であるオペレーションに対しては、入力画像毎に設定値を記憶する手段を備え、前記所定のオペレーションがアクティブである場合に、前記調整対象情報をもとに、調整が反映される画面領域の表示方法を変更する手段を備えたことを特徴とする構成とした。【選択図】  図１
2015146059.tif 000002
【特許請求の範囲】
【請求項１】
表示画面を分割して複数の画像を表示可能な表示装置であって、
所定の調整機能を調整可能な複数のオペレーションを備え、
前記複数のオペレーション毎に、調整対象が前記複数画面のうち所定の画面に設定可能な入力画像毎か、画面全体かを示す調整対象情報を取得する手段を備え、
少なくとも、前記調整対象情報が入力画像毎であるオペレーションに対しては、入力画像毎に設定値を記憶する手段を備え、
前記所定のオペレーションがアクティブである場合に、前記調整対象情報をもとに、調整が反映される画面領域の表示方法を変更する手段を備えたことを特徴とする表示装置。
【請求項２】
表示画面上にメニュー画面を表示する、OSD表示手段を備え、
前記メニュー画面上で、前記複数のオペレーションのうち、所定のオペレーションをアクティブにする、オペレーションアクティベート手段を備え、
前記複数のオペレーションのうち、所定のオペレーションがアクティブになっている状態で、所定の操作を行うと、
前記調整対象情報および複数画面の表示状態をもとに、
次の子画面の入力画像に対するメニューを表示するか、メニュー画面を消去するかの動作を切り替える手段を備えたことを特徴とする請求項１に記載の表示装置。
【発明の詳細な説明】
【技術分野】
【０００１】
本発明は、画像や映像を表示する表示装置に関し、特に同時に複数の画面を表示することが可能な表示装置に関するものである。
【背景技術】
【０００２】
従来から、一つの表示画面に複数の画像を表示させることが可能な表示装置が知られている。
【０００３】
特許文献１では、多画面表示における選局の際、選局対象画面が区別できるように、選局対象以外の画面の輝度を変更することが可能な表示装置が開示されている。また、特許文献２では複数画面を複数の視聴者が視聴する場合に、所定の画面に対し、複数のリモコンのうち、所定のリモコン以外での画面切り替えを禁止することが可能な表示装置が開示されている。
【先行技術文献】
【特許文献】
【０００４】
【特許文献１】特開平6-38105号公報
【特許文献２】特開2010-118813号公報
【発明の概要】
【発明が解決しようとする課題】
【０００５】
表示装置においては、明るさやコントラスト、画面色調整など複数の調整機能を備えていることが一般的である。
【０００６】
また、前記調整機能には、複数画面表示を行った場合、複数画面のうちの所定画面に対して調整効果が適用されるものと、表示装置の表示画面全体に対して調整効果が適用されるものが混在している場合が多い。
【０００７】
例えば、明るさ・コントラストを調整すると、複数画面のうち、所定の画面のみ画質が変化するが、画面色調整を行うと、複数画面表示中か否かに関わらず、表示装置の表示画面全体の色が変化する構成が考えられる。
【０００８】
しかしながら、上述の特許文献に開示された従来技術では、所定の調整機能を操作する際に、事前にその調整効果が及ぶ範囲を知ることができない。
【０００９】
また、調整効果が及ぶ範囲が事前にわからないため、複数画面のうちの所定の画面に対してのみ調整を行ったつもりが、他の画面に対しても調整が適用されてしまうといった問題が発生する。
【００１０】
逆に、画面全体に対して調整を行ったつもりが、複数画面のうちの所定の画面にしか調整が適用されないという問題が発生する。
【００１１】
本発明は上記問題に鑑みてなされたものであり、本発明の目的は、複数画面表示可能な表示装置において所定の機能を調整する際に、その調整によって効果が及ぶ範囲を事前に判別することを可能とした表示装置を提供することである。
【課題を解決するための手段】
【００１２】
上記目的を達成するために、本発明は、
表示画面を分割して複数の画像を表示可能であって、
所定の調整機能を調整可能な複数のオペレーションを備え、
前記複数のオペレーション毎に、調整対象が前記複数画面のうち所定の画面に設定可能な入力画像毎か、画面全体かを示す調整対象情報を取得する手段を備え、
少なくとも、前記調整対象情報が入力画像毎であるオペレーションに対しては、入力画像毎に設定値を記憶する手段を備え、
前記所定のオペレーションがアクティブである場合に、前記調整対象情報をもとに、調整が反映される画面領域の表示方法を変更する手段を備えたことを特徴とする。
【発明の効果】
【００１３】
本発明によれば、所定の機能を調整する際に、その調整によって効果が及ぶ範囲を事前に判別することを可能とした表示装置を提供することができる。
【図面の簡単な説明】
【００１４】
【図１】本発明による表示装置の画面表示の一形態を表わす図
【図２】本発明による表示装置におけるオペレーションと調整対象の関係の一例を表わす図
【図３】本発明による表示装置において、メニュー切り替え操作を行った時の表示状態の遷移の一例を表わす図
【図４】本発明による表示装置において、メニュー画面非表示状態から、メニュー切り替え操作を行った時の、表示操作の動作の一例を表すフローチャート
【図５】本発明による表示装置において、メニュー画面表示状態から、メニュー切り替え操作を行った時の、表示操作の動作の一例を表すフローチャート
【発明を実施するための形態】
【００１５】
以下に、本発明の好ましい実施の形態を、添付の図面に基づいて詳細に説明する。図１は、本発明の実施形態にかかわる表示装置の一例である。
【００１６】
［実施例１］
以下、図１を参照して、本発明の第1の実施例による、表示装置について説明する。101は表示装置の表示画面である。
【００１７】
図１において、表示画面101は２つの子画面103および104に分割され、それぞれの子画面に互いに異なる画像が表示されている。リモコンによる釦押下などの操作により、メニュー表示操作を行うと、メニュー画面102が表示される。メニュー画面には様々な機能を調整することが可能なオペレーションが存在する。例えば、102に示される、「ブライトネス」、「コントラスト」、「画面色調整」などがオペレーションにあたる。これらのオペレーション毎に、図２に示すように、オペレーションの調整対象が、入力画像毎か、画面全体かの情報が取得可能である。
【００１８】
オペレーションの調整対象情報は、あらかじめ記憶手段に格納しておいてもよいし、オペレーションを実現する処理部に問い合わせる構成にしてもよい。メニュー画面102において、「ブライトネス」のオペレーションにメニューのフォーカスがあり、アクティブになっている。「ブライトネス」オペレーションの調整対象情報は、図２より、入力画像毎であるため、所定の入力画像を表示する領域103が、表示画面上で区別できるように、枠で囲まれた表示となる。この状態から、リモコン操作等によりメニューのフォーカスを移動させると、105に示すように「画面色調整」のオペレーションにメニューのフォーカスをあてることができる。
【００１９】
「画面色調整」オペレーションの調整対象情報は、図２より、画面全体であるため、「画面色調整」を調整することにより効果が及ぶ範囲は、表示装置の表示画面領域101に等しい。よって、表示装置の表示画面領域が枠で囲まれた表示となる。
【００２０】
メニュー操作により、所定のオペレーションを調整すると、枠で囲まれた領域に対して調整結果が反映される。なお、説明を簡便にするために、オペレーションの調整効果が及ぶ範囲を枠で囲む形態を説明したが、所定の範囲を他と区別するためには、画面領域の輝度を変化させることや、点滅させることでも表現可能である。
【００２１】
［実施例２］
以下、図３を参照して、本発明の第２の実施例による、表示装置について説明する。301は本発明における表示装置の表示状態の１形態であって、互いに異なる2つの画像が、表示画面上の互いに異なる領域に表示されている。この状態でメニュー切り替え操作として、例えばリモコンのメニュー釦押下を行うと、メニュー画面304が表示される。304においてアクティブになっている「ブライトネス」オペレーションの調整対象情報は、図２より、入力画像毎であるため、複数の入力画像のうち所定の一つを表示する領域306が枠で囲まれた表示となる。
【００２２】
ここで、調整対象情報が入力画像毎であるオペレーションに対しては、入力画像毎に設定値を記憶されていることを考える。
【００２３】
メニュー画面304において、調整対象が入力画像毎である「ブライトネス」、「コントラスト」オペレーションに対しては、現在枠で囲まれている領域306に表示されている入力に対する設定値が表示される。
【００２４】
現在アクティブになっている「ブライトネス」オペレーションの調整対象は入力画像ごとであり、複数表示画面のうち、他の表示画面に表示されている入力画像に対しても適用することが可能である。
【００２５】
この状態でメニュー切り替え操作として、例えばリモコンのメニュー釦押下を行うと、306とは別の表示画面307に表示されている入力画像に対する設定値によってメニュー画面を再構成する（305）。
【００２６】
さらに、「ブライトネス」オペレーションの適用先が変わったことを示すために、領域307が枠で囲まれた表示となる。
【００２７】
もう一度メニュー切り替え操作として、例えばリモコンのメニュー釦押下を行うと、メニュー画面を非表示とし、301の表示状態へと戻る。
【００２８】
なお、説明を簡便にするために、オペレーションの調整効果が及ぶ範囲を枠で囲む形態を説明したが、所定の範囲を他と区別するためには、画面領域の輝度を変化させることや、点滅させることでも表現可能である。
【００２９】
また、メニュー切り替え操作として、リモコンのメニュー釦押下を例示したが、その他の方法でメニューを切り替えることも考えられる。
【００３０】
［実施例３］
以下、図４を参照して、本発明の第３の実施例による、表示装置について説明する。
図４は、メニュー画面非表示の時に、メニュー切り替え操作（例えば、リモコンのメニュー釦押下など）がなされた時の、本発明における表示装置の挙動を示している。
【００３１】
メニュー切り替え操作がなされると、ステップ401において、その時点で複数画面表示がされているか否かを判別する。複数画面表示である場合には、ステップ402において、複数表示画面のうち、所定の一画面に表示されている画像をメニュー画面のターゲットに設定する。
【００３２】
ステップ401において、複数画面表示ではないと判断された場合は、表示装置の表示画面には一つの入力画像のみが設定されているため、その入力画像をメニュー画面のターゲットに設定する。
【００３３】
ここで、メニュー画面のターゲットとは、調整対象が入力画像毎であるオペレーションに対し、調整対象とする入力画像のことである。すなわち、メニュー画面において、調整対象が入力画像毎であるオペレーションに対しては、ターゲットとした入力画像の設定値がメニュー上に反映される。また、このオペレーションを操作すると、ターゲットとした入力画像に対して調整結果が反映される。
【００３４】
調整対象が画面全体であるオペレーションに対しては、ターゲット設定された入力画像に関わらず、表示画面に対する設定値がメニュー画面に反映される。また、このオペレーションを操作すると、画面全体に対して調整結果が反映される。
【００３５】
ステップ404において、ターゲット画像に対するメニュー画面を構成する。メニュー画面構成後、ステップ405において、メニュー上で現在アクティブになっているオペレーションを取得する。ここで、メニュー上でアクティブになっているオペレーションとは、メニュー上でフォーカスが当たるなどして、操作可能状態になっているオペレーションのことである。
【００３６】
ステップ405において、アクティブになっているオペレーションが取得されると、ステップ406において、アクティブなオペレーションの操作対象範囲の表示方法を変更する。表示方法の変更には、例えば、対象範囲を枠で囲み、ハイライト表示することが考えられる。
【００３７】
［実施例４］
以下、図５を参照して、本発明の第４の実施例による、表示装置について説明する。
【００３８】
図５は、メニュー画面が表示されている時に、メニュー切り替え操作（例えば、リモコンのメニュー釦押下など）がなされた時の、本発明における表示装置の挙動を示している。
【００３９】
メニュー切り替え操作がなされると、ステップ501において、その時点で複数画面表示がされているか否かを判断する。ステップ501で、複数画面表示されていると判断された場合、ステップ502において、メニュー上でフォーカスが当たるなど、その時点でアクティブになっているオペレーションを取得する。
【００４０】
ステップ501で、複数画面表示されていないと判断された場合、ステップ508においてメニュー画面を非表示にする。
【００４１】
ステップ503において、アクティブとなっているオペレーションの操作対象が入力画像毎か否かを判断する。
【００４２】
オペレーションの操作対象が入力画像毎である場合、ステップ504において、複数画面表示されている入力画像のうち、次にメニューのターゲットとできる入力画像があるか否かを判断する。
【００４３】
新たにメニューのターゲットとできる入力画像がある場合、ステップ505において、ターゲット変更を行う。
【００４４】
ターゲット変更後、ステップ506において、メニュー上で現在アクティブになっているオペレーションを取得する。
【００４５】
ステップ506において、アクティブになっているオペレーションが取得されると、ステップ507において、アクティブなオペレーションの操作対象の表示方法を変更する。表示方法の変更には、例えば、対象範囲を枠で囲み、ハイライト表示することが考えられる。
【００４６】
ステップ503において、アクティブとなっているオペレーションの操作対象が入力画像毎でないと判断された場合、ステップ508において、メニュー画面を非表示にする。
【００４７】
ステップ504において、例えば、複数画面のうちすべての画面の入力画像をターゲットに設定し終えた場合など、次にメニューのターゲットとできる入力画像がないと判断された場合、ステップ508において、メニュー画面を非表示にする。
【００４８】
ステップ508において、メニュー画面を非表示にした後、ステップ509において、それまで表示方法が変更されていた範囲の表示を元に戻す。
【００４９】
以上、本発明の好ましい実施形態について説明したが、本発明はこれらの実施形態に限定されず、その要旨の範囲内で種々の変形及び変更が可能である。
【符号の説明】
【００５０】
101  表示画面
102  操作対象が入力画像毎のオペレーションがアクティブになったメニュー画面
105  操作対象が画面全体のオペレーションがアクティブになったメニュー画面
301  表示画面（メニュー非表示）
302  表示画面（306に設定された入力をターゲットとしたメニュー表示）
303  表示画面（307に設定された入力をターゲットとしたメニュー表示）
304  306に設定された入力をターゲットとしたメニュー画面
305  307に設定された入力をターゲットとしたメニュー画面
306  複数画面のうち所定の一画面
307  複数画面のうち306とは異なる一画面
【図１】
2015146059.tif 000003
【図２】
2015146059.tif 000004
【図３】
2015146059.tif 000005
【図４】
2015146059.tif 000006
【図５】
2015146059.tif 000007